(57)【特許請求の範囲】
【請求項１】
液体容器の口部を閉止するように設けられた仕切壁と、
該液体容器の該口部を通じて内部と外部とを連通するように該仕切壁を貫通する注出孔と、
該注出孔の周囲を取囲むように該仕切壁に該液体容器の注出方向に突設された注出筒と、
該注出筒の外径側に環状の余液回収溝を形成しつつ、該仕切壁の周縁から該液体容器の注出方向に突出する外筒壁と、
を備え、該液体容器の該口部に配設される液体容器の注出具であって、
内容液を注出するために前記液体容器を傾けた状態で、
前記注出筒の上側縁部となる部位に、該注出筒の基端側から先端側に沿って設けられたスリットと、
該注出筒の下側先端縁となる部位に形成された注出部と、
前記仕切壁に前記液体容器の注出方向後方に凹む凹壁部と、
を備え、
内容液を注出するために該液体容器を傾けた状態で、
該スリットの基端部が、該注出部と前記注出孔の上縁とを結ぶ直線よりも上方に位置しつつ、
前記注出孔が、前記注出筒内側の下側縁部近傍となる仕切壁の部位に主孔と、該主孔よりも上方となる該凹壁部の最深部に補助孔と、を備える液体容器の注出具。
【発明の詳細な説明】
【技術分野】
【０００１】
本発明は、洗剤等の液体容器の口部に設けられる注出具に係り、特に、内容液を注出筒の先端から注ぐ際に垂れた液を外筒壁を越えて外側にこぼすことなく、容器本体の内部に回収することのできる液垂れ防止機能を備えた液体容器の注出具に関する。
【背景技術】
【０００２】
洗剤等の液体容器の口部に設けられる液垂れ防止機能を備えた注出具として、内容液を注ぎ出す注出筒（スパウト羽とも呼ばれる部分）の周囲に、注出の際に注出筒の先端から垂れた液体を回収する余液回収溝（液回収溝）を形成するように外筒壁を形成し、外筒壁の内側の余液回収溝内に垂れた液体を、注出筒に設けたスリットや注出筒の基端が結合された仕切壁の注出孔を通して、液体容器の内部に再び戻すようにしたものが知られている（例えば、特許文献１参照）。
【０００３】
特許文献１の注出具は、合成樹脂の成形品よりなるもので、液体容器の円筒状の口部にネジ込み装着される嵌合筒部と、嵌合筒部の上端に液体容器の口部を閉止するように設けられると共に貫通した注出孔を有する仕切壁と、仕切壁に注出孔の周囲を取囲みつつ、注出方向に突設された注出筒（スパウト羽とも呼ばれる）と、注出筒の外側に環状の余液回収溝を形成する円筒状の外筒壁とを備えている。また、注出筒には、内部の液体を注出するために液体容器を傾けた状態で、上側となる部位に、注出筒の基端側から先端側に沿ってスリットが設けられている。
【０００４】
特許文献１の注出具は、液体容器本体を持つなどして、液体容器を傾かせると、液体容器の口部に装着した注出具の先端から、内容液が注出される。また、液体容器を正立させた際に、スリットを介して、余液回収溝に回収された液体が注出筒の内側に導かれ、仕切壁に形成された注出孔を通して液体容器の内部へ戻される。
【先行技術文献】
【特許文献】
【０００５】
【特許文献１】特開２００１−２５３４５０号公報（図３）
【発明の概要】
【発明が解決しようとする課題】
【０００６】
ところで、特許文献１の注出具では、仕切壁に設けられた注出孔が、注出筒の外側の余液回収溝まで開口しているため、液体容器内が内容液で満たされている場合には、液体容器を傾けて注出する際に、内容液がスリットから余液回収溝に溢れ出してしまい、外筒壁の先端からこぼれることがあった。
【０００７】
本発明は、上記事情を考慮し、注出時のスリットからの液体の溢れ出しを防いで、注出筒から確実に注ぎ出せるようにした液体容器の注出具を提供することを目的とする。
【課題を解決するための手段】
【０００８】
本発明は、内部の液体を注出するために液体容器を傾けた状態で、スリットの基端部が、注出部と注出孔の上縁とを結ぶ直線よりも上方に位置するので、注出時のスリットからの液体の溢れ出しを確実に防ぐことができて、注出筒の注出部からのみ注ぎ出すことができる。
【０００９】
即ち、本発明は、液体容器の口部を閉止するように設けられた仕切壁と、液体容器の口部を通じて内部と外部とを連通するように仕切壁を貫通する注出孔と、注出孔の周囲を取囲むように仕切壁に液体容器の注出方向に突設された注出筒と、注出筒の外径側に環状の余液回収溝を形成しつつ、仕切壁の周縁から液体容器の注出方向に突出する外筒壁と、を備え、液体容器の口部に配設される液体容器の注出具であって、内部の液体を注出するために液体容器を傾けた状態で、注出筒の上側縁部となる部位に、注出筒の基端側から先端側に沿って設けられたスリットと、注出筒の下側先端縁となる部位に形成された注出部と、を備え、内部の液体を注出するために液体容器を傾けた状態で、スリットの基端部が、注出部と注出孔の上縁とを結ぶ直線よりも上方に位置する液体容器の注出具を提供する。
【００１０】
また、注出孔が、内部の液体を注出するために液体容器を傾けた状態で、注出筒内側の下側縁部近傍となる仕切壁の部位に主孔と、主孔よりも上方となる仕切壁の部位に補助孔と、からなるため、補助孔を空気置換口として用いるので、脈動を防いでスムーズな注出を実現することができる。
【００１１】
さらに、仕切壁に液体容器の注出方向後方に凹む凹壁部が設けられ、凹壁部の最深部に補助孔が設けられているため、余液回収溝からスリットを通して液体が容器内部に戻る際の流れを円滑にし、仕切壁上での無用な液体の広がりを防ぐことができる。
【発明の効果】
【００１２】
本発明によれば、内部の液体を注出するために液体容器を傾けた状態で、スリットの基端部が、注出部と注出孔の上縁とを結ぶ直線よりも上方に位置するので、注出時のスリットからの液体の溢れ出しを確実に防ぐことができて、注出筒から確実に注ぎ出すことができる。
【図面の簡単な説明】
【００１３】
【図１】本発明の実施形態の注出具を装着した液体容器を示す図で、内部の液体を注出するために液体容器を傾けた状態を示しており、（ａ）は注出具の拡大断面図、（ｂ）は液体容器の全体を示す図である。
【図２】同注出具の正面拡大図である。
【発明を実施するための形態】
【００１４】
以下、本発明の実施形態を図面を参照して説明する。
【００１５】
図１は本発明の実施形態の注出具を装着した液体容器を示す図で、内部の液体を注出するために液体容器を傾けた状態を示しており、（ａ）は注出具の拡大断面図、（ｂ）は液体容器の全体を示す図である。なお、液体容器１の取手部３を持つなどして、液体容器１の垂直線Ｌが水平線となす角度が注出角度θまで液体容器１を傾かせると、液体容器１の口部２に装着した注出具１０の先端から、満タン状態の内容液が注出される。
【００１６】
この実施形態の注出具１０は、合成樹脂の成形品よりなるもので、液体容器１の円筒状の口部２にネジ込み装着される嵌合筒部１１と、嵌合筒部１１の上端に液体容器１の口部２を閉止するように設けられると共に貫通した２つの注出孔１５，１７を有する仕切壁１２と、これら２つの注出孔１５，１７の周囲を取囲むように仕切壁１２に液体容器の注出方向に突設された注出筒（スパウト羽とも呼ばれる）１３と、注出筒１３の外側に環状の余液回収溝１９を形成しつつ、注出筒１３を取囲み、且つ注出筒１３に仕切壁１２で結合された円筒状の外筒壁１８と、内容液を注出するために液体容器１を傾けた状態で、上側となる注出筒１３の部位に、注出筒１３の基端側（注出筒１３が途切れている側、すなわち注出方向と反対の側）から先端側（注出方向の側）に沿って、注出筒１３の下側先端縁となる部位に形成された注出部１３ａの反対側（最上側）に設けられるスリット１４と、を有している。
【００１７】
また、スリット１４の両側壁を構成する注出筒１３の側縁は、その仕切壁１２側となる基端部１３ｂが仕切壁１２から延設されており、基端部１３ｂ，１３ｂ間に位置する仕切壁１２の部位には、注出筒１３の内側が液体容器の注出方向後方、すなわち液体容器１を床面に置いた状態で下方に一段低くなる段部２０が設けられている。そして、段部２０を上縁として、仕切壁１２には液体容器の注出方向後方に凹んだ局部的な凹壁部１６が設けられている。
【００１８】
仕切壁１２に２つ形成されている注出孔１５，１７は、内容液を注出するために液体容器１を傾けた状態で、上下に位置するように配置されている。内容液を注出するために液体容器１を傾けた状態で、下側に位置する主孔１５は、液体が流出する主たる注出孔であり、円形に形成されている。もう一方の注出孔である補助孔１７は、液体容器１を傾けて内容液を注出する際に、主孔１５よりも上側となる凹壁部１６の最深部に配置され、上下方向に縦長のスロット形状に形成されている。そして、液体容器１を傾け、主孔１５から液体が流出する際に、補助孔１７は脈動を抑制するために空気の流通を可能にする空気置換口として機能する。また、液体を注出後、液体容器１を正立させた状態で、余液回収溝１９に回収された液体は、スリット１４を介して、注出筒１３の内側に導入され、凹壁部１６内に集められて、補助孔１７から液体容器１の内部へと戻される。
【００１９】
スリット１４の仕切壁１２側となる基端部１３ｂ，１３ｂは、内容液を注出するために液体容器１を傾けた状態で、注出部１３ａと補助孔１７の上縁とを結ぶ直線Ｍよりも所定距離Ｈだけ上方に位置するように設定されている。
【００２０】
上記実施形態によれば、スリット１４の基端部１３ｂ，１３ｂを、注出部１３ａと注出孔１７の上縁とを結ぶ直線Ｍよりも上方に位置するように設定することで、内容液を注出する際に、スリット１４から注出筒１３外側の余液回収溝１９側への液体の溢れ出しを確実に防ぐことができて、注出筒１３の注出部１３ａから確実に注ぎ出すことができる。
【００２１】
また、仕切壁１２に設けた２つの注出孔１５，１７の内の上方に位置する補助孔１７を空気置換口として縦長のスリット状に形成してあるので、脈動を防いでスムーズな注出を実現することができる。また、補助孔１７を仕切壁１２に設けた局部的な凹壁部１６の最深部に配置しているので、余液回収溝１９からスリット１４を通して液体が容器内部に戻る際の流れを円滑にすることができて、仕切壁１２上での無用な液体の広がりを防ぐことができる。
【産業上の利用可能性】
【００２２】
本発明は、上述した例以外の界面活性剤を含んだ洗剤、柔軟剤、漂白剤等の種々の液体を収容する液体容器に適用することで、顕著な有用性を発揮できる。
【符号の説明】
【００２３】
１  液体容器
２  口部
１０  注出具
１２  仕切壁
１３  注出筒
１３ｂ  スリットの基端部
１４  スリット
１５  主孔（注出孔）
１６  凹壁部
１７  補助孔（注出孔）
１８  外筒壁
１９  余液回収溝
Ｍ  注出部と補助孔の上縁とを結ぶ直線
【図１】
0005468937.tif 000002
【図２】
0005468937.tif 000003